(57)【要約】開示されるパイプクリップおよびサポートの改良およびそれに関連する改良は、第１および第２要素（１１０，１２０）を備えるパイプ取付具（１００）であり、第１および第２要素（１１０，１２０）は、内側サブ要素（１２２）および外側サブ要素（１２１）をそれぞれ備え、内側および外側サブ要素は、互いに対して回転可能であり、第１構成では、第１および第２要素は、分離可能であり、パイプを囲むように位置決め可能であり、第２構成では、それらは合わせてロックされ、そのロックは、内側および外側サブ要素それぞれの相対的回転によって達成され、第１要素の内側サブ要素は、第２要素の外側サブ要素と少なくとも部分的に係合し、第２要素の内側サブ要素は、第１要素の外側サブ要素と少なくとも部分的に係合するようになっている。【選択図】図５
2016535216.tif 000002
【特許請求の範囲】
【請求項１】
パイプ取付具であって、第１要素と、第２要素と、を備え、第１要素と第２要素とは、内側サブ要素と、外側サブ要素と、をそれぞれ備え、内側サブ要素と外側サブ要素とは、互いに対して回転可能であり、第１構成では、第１要素と第２要素とは、分離可能であり、パイプの周りに位置決め可能であり、第２構成では、それらは合わせてロックされ、そのロックは、内側サブ要素および外側サブ要素それぞれの相対的回転によって達成され、第１要素の内側サブ要素が、第２要素の外側サブ要素と少なくとも部分的に係合し、第２要素の内側サブ要素が、第１要素の外側サブ要素と少なくとも部分的に係合するようになっている、パイプ取付具。
【請求項２】
請求項１のパイプ取付具であって、内側サブ要素は、外側サブ要素のチャネル内に保持される、パイプ取付具。
【請求項３】
請求項１または請求項２のパイプ取付具であって、第１要素には、サポートシステムに取り付けるよう配置された結合手段が備わっている、パイプ取付具。
【請求項４】
請求項３のパイプ取付具であって、結合手段は、相補的ねじ山付きロッドに結合するためのねじ山付きの内側を有するボスを備える、パイプ取付具。
【請求項５】
請求項１〜４のいずれかに記載のパイプ取付具であって、内側サブ要素には、軸方向に延びるタブが備わっている、パイプ取付具。
【請求項６】
請求項１〜５のいずれかに記載のパイプ取付具であって、内側サブ要素には、パイプ取付具を所定の位置に確実にロックするためのウェッジ要素を受け入れるように配置された凹部が備わっている、パイプ取付具。
【請求項７】
請求項６のパイプ取付具であって、凹部に位置するウェッジをさらに備える、パイプ取付具。
【請求項８】
請求項７のパイプ取付具であって、ウェッジは、使用時に、パイプの外表面に接するように配置された表面に沿った複数の横方向または長手方向リッジを有する、パイプ取付具。
【請求項９】
特に添付図面を取り上げて、以上に記載されたパイプ取付具。
【発明の詳細な説明】
【技術分野】
【０００１】
本発明は、パイプと共に使用するためのクリップおよびサポートに関する。パイプは、天井または表面からつり下げられる状況でよく取り付けられ、クリップは、間隔を置いてパイプを取り囲むのに使用され、クリップは、天井に、または天井に接続されているレールシステムに、結合されている。
【背景技術】
【０００２】
図８は、従来技術のパイプクリップ３００を示し、それは、一対のほぼ半円形の部材３１０，３２０を備え、一対のほぼ半円形の部材３１０，３２０は、パイプを取り囲むように配置され、パイプの外径に従った寸法に作られている。それぞれの半円形部材のそれぞれの端部から延びているのは、短いフランジ３３０であり、前記フランジは、部材がパイプの周りに位置するときに隣接するように配置される。それぞれのフランジには貫通孔が備わっており、それは、パイプの周りの部材を固定する締め具を受け入れる働きをする。示されている例では、貫通孔の１つまたは両方は、ねじ山が付けられ、締め具は、ねじ山と結合するスクリューの形で提供される。
【０００３】
部材３１０の、使用中の、最上部にあるのは、ねじ山付き連結具３１５であり、ねじ山付き連結具３１５は、相補的ねじ山付きロッドの長さを受け入れるように配置され、相補的ねじ山付きロッドは、一端で連結具３１５に螺合され、天井またはレールシステムに設けられた同様の連結具に螺合され、クリップが取り付けられるパイプが、天井からつるされることができるようになっている。
【０００４】
図８に示されている種類の従来技術のクリップは、一般的に使用されているが、その場で取り付けづらい。それを作動的に取り付けるのは頭上での仕事であり、ねじおよび取付具は頻繁に落下するからである。
【０００５】
そのような吊りパイプシステム、およびパイプが壁上で持ち送りまたは同様の取付具に沿って延びる他のパイプシステムでは、パイプの外側に他の製品を取り付けることが望まれることが多い。そのような製品には、温帯の両極端から保護される必要がある、または高温液体を搬送する、パイプ用の絶縁材が含まれ、パイプの長さに沿って熱損失を最小限にすることが望まれる。取り付けられ得る他の製品には、ケーブルが含まれ、ケーブルは、パイプの経路を都合よくたどることができるが、そこへの固定取付具が必要となる。搬送しているものを示すため、および流体が流れている方向等を示すために、パイプに標識やインジケーターを付けるのが望ましいかもしれない。
【発明の概要】
【発明が解決しようとする課題】
【０００６】
本発明の実施形態は、ここに言及されているかどうかに関わりなく、従来技術におけるこれらのおよび他の欠点に対処することを目的とする。
【課題を解決するための手段】
【０００７】
本発明によると、第１および第２要素を備えるパイプ取付具が提供され、第１および第２要素は、内側サブ要素および外側サブ要素をそれぞれ備え、内側および外側サブ要素は、互いに対して回転可能であり、第１構成では、第１および第２要素は、分離可能であり、パイプの周りに位置決め可能であり、第２構成では、それらは合わせてロックされ、そのロックは、内側および外側サブ要素それぞれの相対的回転によって達成され、第１要素の内側サブ要素が、第２要素の外側サブ要素と少なくとも部分的に係合し、第２要素の内側サブ要素が、第１要素の外側サブ要素と少なくとも部分的に係合するようになっている。
【０００８】
好ましくは、内側サブ要素は、外側サブ要素のチャネル内に保持される。チャネルは、内側サブ要素の断面形状に密接に適合するように形作られる。
【０００９】
好ましくは、第１要素には、サポートシステムに取り付けるよう配置された結合手段が備わっている。
【００１０】
好ましくは、結合手段は、相補的ねじ山付きロッドに結合するためのねじ山付きの内側を有するボスを備える。
【００１１】
好ましくは、内側サブ要素には、軸方向に延びるタブが備わっており、タブは、内側および外側サブ要素の相対的回転を容易にする。
【００１２】
好ましくは、内側サブ要素には、パイプ取付具を適切な位置にしっかりとロックするためのウェッジ要素を受け入れるように配置された凹部が備わっている。
【００１３】
好ましくは、ウェッジは、使用時に、パイプの外表面に接するように配置された表面に沿った複数の横方向または長手方向リッジを有する。
【００１４】
本発明の他の特徴は、従属請求項および下記の明細書から明らかになる。
【００１５】
本発明のさらなる理解のために、および本発明の実施形態がどのように実行に移されるかを示すために、例として添付の線図をこれから参照する。
【図面の簡単な説明】
【００１６】
【図１】本発明の実施形態によるパイプ取付具を示す。
【図２】図１の実施形態の一要素を示す。
【図３】図２の要素を形成する２つのサブ要素を示す。
【図４】使える状態である、結合された図３の２つのサブ要素を示す。
【図５】ロックされた構成でのパイプ取付具を示す。
【図６】パイプ取付具を適切な位置に固定するのに使用されるパイプ取付具の詳細を示す。
【図７】パイプ取付具を適切な位置に固定するのに使用される一対のウェッジ要素の詳細を示す。
【図８】従来技術のパイプサポートクリップを示す。
【発明を実施するための形態】
【００１７】
図１は、本発明の実施形態によるパイプ取付具１００を示す。ここに示されている取付具１００は、パイプクリップとして使用され、取り付けられたパイプが天井からつるされることができるようにする。
【００１８】
取付具１００は、２つの要素１１０，１２０を備える。両方の要素は、中間点から延びるねじ込みボス１３０を要素１２０が備えることを除いては、本質的に同一である。ねじ込みボス１３０は、天井または他のサポートシステムへのさらなる取り付けのための相補的ねじ山付きロッドを受け入れるように配置された雌ねじを備える。この手段によって、パイプ取付具は、それが結合されるパイプを支持できる。
【００１９】
図１に示されている構成では、２つの要素１１０，１２０は分離可能である。しかしながら、それらは、以下の説明に記載されるように、連結するよう配置される。
【００２０】
図２は、要素１１０から切り離された要素１２０を示す。要素１２０は、外側サブ要素１２０および内側サブ要素１２２を備える。これらは、図３に示されているように分離可能である。外側サブ要素１２１は、半円形であり、チャネル１２８を備え、その中に内側サブ要素１２２が位置する。チャネル１２８は、内側サブ要素１２２を補完するよう形作られ、内側サブ要素１２２が一度チャネルに挿入されると、それが保持されるように、配置される。
【００２１】
内側サブ要素１２２を挿入するために、それは、チャネル１２８の一端に取り込まれ、それから１８０°回転され、図２に示されているように、チャネルの各端部と内側サブ要素とが位置合わせされるようになっている。内側サブ要素１２２は、チャネル内で自由に回転できる。これは、簡潔に述べられるように要素１２１，１２２を合わせてロックするのに重要である。
【００２２】
内側サブ要素１２２から延びているのは、一対のタブ１２３である。これらは、使用時に、軸方向に延び、取付具１００が取り付けられるパイプの外表面上に置かれるように、配置される。これらは、外側サブ要素１２１に対して内側サブ要素１２２が容易に回転できるように設けられる。
【００２３】
内側および外側サブ要素は、位置合わせ特徴１２５，１２６を備え、位置合わせ特徴１２５，１２６は、要素１２０，１２１が記述されるように位置付けられて組み合わせられる際にそれらを並べるのに役立つ。位置合わせ特徴１２５は、高くなった凸部であり、高くなった凸部は、凹部である位置合わせ特徴１２６と協働して、凹部である位置合わせ特徴１２６に入るように、配置される。凸部１２６が凹部１２５に入るとき、それから正確な位置合わせが達成され、それは、ユーザーがパイプ取付具１００を設置するのに役立つ。
【００２４】
内側サブ要素１２２がチャネル１２８に挿入された時点で、完成した要素１２０は、図４に示すように（および図２にも示すように）なる。
【００２５】
内側および外側サブ要素は、プラスチック材料から形成されてよく、必要に応じて成形される。ある代替的構成では、それらは、鋼鉄または別の金属から形成されてよい。
【００２６】
ボス１３０は別として、要素１１０は、要素１２０と同一であることに注目すべきである。
【００２７】
パイプ取付具１００をパイプの周りに取り付けるために、パイプの端部にアクセスする必要はない。２つの要素１１０，１２０は、パイプの反対側の周りに置かれて、それらの露出端が接触するようになっている。取付具は、そして図１に示されている構成に類似する。位置合わせ特徴１２５，１２６が一度適切に係合すると、その後ユーザーは適切な位置合わせが達成されたということを知る。
【００２８】
当然である。ユーザーが２つの要素１２０，１２１から手を放すならば、それらはパイプから簡単に外れて落ちる。取付具１００がパイプの周りの位置にとどまるようにそれらをみ合わせるために、外側サブ要素に対して内側サブ要素１２２を回転させる必要がある。これは、内側サブ要素から延びるタブ１２３を使用することによって達成される。パイプの外表面をたどるようにタブを回転させることによって、各要素の内側サブ要素１２２は、それらのそれぞれの外側サブ要素１２１に対して回転する。具体的には、一方の内側サブ要素１２２は、他方の外側サブ要素のチャネル１２８に入る。当然、内側サブ要素も外側サブ要素も直接接触しているので、一端で一方の内側サブ要素に起こることは、他方のサブ要素の他端で起こり、２つの要素がインターロックされてパイプにしっかりと付けられるようになることをもたらす。
【００２９】
このロックされた構成は、図５に示され、図５は、取付具１００が位置にロックされた時点での内側および外側サブ要素の相対的向きを示す。それは、図１との比較によって、内側および外側サブ要素が、それらのそれぞれの端部を並ばせるのではなく、今度は互いに対して９０°回転することを示す。言い換えれば、一方の要素１１０の内側サブ要素は、今度は他方の要素１２０と同じ程度に係合し、その逆も同じである。
【００３０】
このロックされた構成では、パイプ取付具は、パイプの周りにしっかりと固定され、インターロックプロセスが逆にされない限りばらけない。
【００３１】
しかしながら、ある状況では、取付具は、振動およびインパルス衝撃を受けることがある。これは、特に始動時に、ポンプがパイプに流体を送り出すように初めに電源が投入されるときに、起こることがある。追加の安全性および安定性を提供するために、内側サブ要素には、使用時にパイプの表面に隣接する傾斜凹部１２４が設けられている。この凹部１２４は、図３に示され、図６にさらに詳細に示されている。凹部は、概して楔形形状を有し、相補的形状のウェッジ要素を受け入れるよう意図される。２つの異なるウェッジ２００，２１０が、図７に示されている。
【００３２】
ウェッジは、凹部１２４に収容されるよう意図される。パイプ取付具１００が組み立てられた時点で、１つ以上のウェッジ２００，２１０を１つ以上の凹部１２４に強く挿入でき、パイプ取付具を適切な位置に固定する。
【００３３】
ウェッジ２００は、その下面に沿った複数の長手方向リッジを有する。これらは、使用時に、パイプの外面に接触し、パイプ取付具がパイプ周りに回転するのを防ぐ。
【００３４】
ウェッジ２１０は、その下面に沿った複数の横方向リッジを有する。これらは、使用時に、パイプの外面に接触し、パイプ取付具がパイプに沿って移動するのを防ぐ。
【００３５】
ウェッジ２００，２１０には、取り外しスロットがそれぞれ備わっており、それらがスクリュードライバーで簡単に取り外せるようになっている。ウェッジ２００，２１０は、パイプ取付具を作るのに使用される材料と同様のまたは同一の材料から作られてよい。ある家庭用設備では、プラスチック材料が適切であり得るが、より大きなパイプについては、ウェッジは鋼鉄または別の適切な材料から形成される。
【００３６】
パイプ取付具を取り外す必要があるならば、どのウェッジも取り外しスロットを使用して取り外すことができ、２つの要素をインターロックするプロセスを逆にすることができ、それらが分けられるようになる。そして、２つの要素は簡単にパイプから外れる。
【００３７】
パイプ取付具が天井からパイプをつるすのに使用されるタイプのものである、図１に示されている実施形態では、ボス１３０は、初めに上を指すように位置し、取付具は、前述の通りに取り付けられる。
【００３８】
他の種類の取付具では、ボスが、行う必要があるタスクに適切な別の装置に置き換えられる。例えば、取付具がケーブルを支持する必要があるならば、統合ケーブルタイが提供される。使用される他のものが、当業者には明らかである。
【００３９】
この出願に関連してこの明細書と同時にまたはこの明細書より前に提出され、この明細書と共に公開されている、全ての文書に注意が払われ、全てのそのような文書の内容は、参照することにより本書に組み込まれる。
【００４０】
この明細書（添付の特許請求の範囲、要約および図面を含む）に開示される特徴の全て、および／またはそのように開示されるあらゆる方法またはプロセスは、そのような特徴および／またはステップの少なくともいくつかが相互に排他的である組み合わせを除き、あらゆる組み合わせで組み合わされてよい。
【００４１】
この明細書（添付の特許請求の範囲、要約および図面を含む）に開示されるそれぞれの特徴は、明示的に別段の定めをした場合を除き、同一の、同等のまたは同様の目的を果たす代替的な特徴に置き換えられてよい。従って、明示的に別段の定めをした場合を除き、開示されているそれぞれの特徴は、一般的な一連の同等のまたは同様の特徴の一例にすぎない。
【００４２】
本発明は、前述の実施形態の詳細に限定されない。本発明は、この明細書（添付の特許請求の範囲、要約および図面を含む）に開示される特徴の、あらゆる新規な一つ、またはあらゆる新規な組み合わせに及ぶ、または、そのように開示されるあらゆる方法またはプロセスのステップの、あらゆる新規な一つ、またはあらゆる新規な組み合わせに及ぶ。
【図１】
2016535216.tif 000003
【図２】
2016535216.tif 000004
【図３】
2016535216.tif 000005
【図４】
2016535216.tif 000006
【図５】
2016535216.tif 000007
【図６】
2016535216.tif 000008
【図８】
2016535216.tif 000009
【図７】
2016535216.tif 000010
【国際調査報告】
2016535216.tif 000011
2016535216.tif 000012